(57)【特許請求の範囲】
【請求項１】
液体を収容する上面開口の容器と、前記容器の開口部を覆う蓋体と、前記容器内の液体を加熱する加熱手段と、前記容器の下部から器体外へ連通する導出経路と、前記導出経路の途中に経路を開閉する第１の弁体と、前記容器と前記蓋体とで形成される空間内に設けられた茶葉等の飲料用材料を収納するケースとを有し、前記ケースには前記容器内の液体が浸入し、前記飲料用材料に接触あるいは通過し、再び前記ケース外に脱出可能な経路もしくは空間を形成するとともに、前記経路もしくは空間の開口部または途中において少なくとも１ヵ所を閉塞する第２の弁体を設け、前記容器の外側に前記第２の弁体の駆動手段を配し、前記駆動手段を動作させて前記第２の弁体の開閉動作を行なう電気湯沸し器。
【発明の詳細な説明】
【０００１】
【発明の属する技術分野】
本発明は収容液体を加熱・保温し、麦茶等を抽出して器体外へ導出する電気湯沸し器に関するものである。
【０００２】
【従来の技術】
従来、煮出して飲用に供する飲料の作り方は、例えば麦茶であれば、やかんなどに水を入れて沸騰させ、その中に焙煎した大麦の粒をそのまま、あるいは粉砕したもののパックを入れて数分間煮出すといった方法が一般的であり、出来上がったものを放置するか、やかんごと水で冷やすなどして粗熱を取り、その後容器に移して冷蔵庫で冷やしておき、必要時に随時取り出してコップ等に注ぎ、飲用に供するといったものである。
【０００３】
また、ごく希であるが、電気湯沸し器の中に麦茶のパックを投入して煮出しを行なうといった方法が用いられている場合がある。この場合について、従来の電気湯沸し器の概略構成の説明を交えて述べる。
【０００４】
従来の電気湯沸し器の概略構成の一例は、図２０に示すようなものであり、２０１は本体、２０２は本体２０１内に配された上面開口の容器、２０３は容器２０２の開口部を覆う蓋体、２０４は容器２０１内の液体を加熱・保温する発熱体である。２０５は容器２０２内の液体を器体外へ導出する手段であるところの電動式のポンプで、モータ２０６により駆動され、吸込口２０７より液体を吸い込み、ポンプ２０５と、器体外への導出口２０８とを連通する水管２０９を介して液体を器体外へ導出するものである。
【０００５】
この電気湯沸し器を用いた麦茶の作り方の一例は、まず容器２０２内に水を入れて電源を投入し、発熱体２０４によって水を加熱し、沸騰させる。そして、蓋体２０３を開いて容器２０２内に麦茶のパック２１０を投入して、煮出しを行ない、頃合いを見計らって、容器２０２の中から麦茶のパック２１０を取り出すといったものである。その後、導出スイッチ２１１を操作して、ポンプ２０５により容器２０２内の麦茶を、器体外へ導出し、保存用容器などに入れるのである。
【０００６】
【発明が解決しようとする課題】
しかしながら、このような従来の方法では、やかん、あるいは電気湯沸し器のいずれを用いた場合でも、一定の煮出しを行なうのは難しく、人為的に頃合を見計らって取り出す煩雑さがあり、また、取り出すのを忘れたままにしていると、濃くなって渋みが出てくるなど、出来上がりにも影響する。
【０００７】
特に、電気湯沸し器の場合、沸騰中あるいは直後に蓋体２０３を開けるため、蒸気が器体外に大量に放出されるので、機器として好ましい使い方ではなく、また、水管２０９など掃除しにくい部分に茶渋が付着して、腐敗による臭いや雑菌の繁殖の心配があった。従って、電気湯沸し器で麦茶などを作ることは、取扱い説明書などには禁止事項とされているのが一般的である。
【０００８】
本発明はこのような従来の課題を解決するもので、麦茶などの煮出して飲用に供する飲料を、手軽にかつ均質な出来上がりで作ることができ、しかも清掃性・手入れ性に優れた電気湯沸し器を提供することを目的としている。
【０００９】
【課題を解決するための手段】
上記の課題を解決するために、本発明は、液体を収容する上面開口の容器と、前記容器の開口部を覆う蓋体と、前記容器内の液体を加熱する加熱手段と、前記容器の下部から器体外へ連通する導出経路と、前記導出経路の途中に経路を開閉する第１の弁体と、前記容器と前記蓋体とで形成される空間内に設けられた茶葉等の飲料用材料を収納するケースとを有し、前記ケースには前記容器内の液体が浸入し、前記飲料用材料に接触あるいは通過し、再び前記ケース外に脱出可能な経路もしくは空間を形成するとともに、前記経路もしくは空間の開口部または途中において少なくとも１ヵ所を閉塞する第２の弁体を設け、前記容器の外側に前記第２の弁体の駆動手段を配し、前記駆動手段を動作させて前記第２の弁体の開閉動作を行なう電気湯沸し器とする。
【００１０】
また、前記ケースを前記容器内で移動自在に取り付け、前記ケースの移動を、前記容器内の液体の温度によって制御するものである。
【００１１】
また、前記容器の外側に前記ケースの駆動手段を配し、一連の運転工程の途中において、前記駆動手段を動作させて、前記ケースを前記容器内の液体に近づける方向、および遠ざける方向に移動させるものである。
【００１２】
さらには、前記容器の外側に前記第２の弁体の駆動手段を配し、一連の運転工程の途中において、前記駆動手段を動作させて、前記第２の弁体の開閉動作を行なうものである。
【００１３】
これら上記の構成により、第２の弁体の開閉動作を、容器内の液体の温度もしくは運転工程によって制御すること、あるいは、ケースを容器内で移動自在に取り付け、ケースの移動即ち、液体中への浸漬と液体中からの引き上げを、容器内の液体の温度もしくは運転工程によって制御することにより、ケース内に飲料用材料をセットして運転するだけで、自動的に煮出し、抽出が行われ、飲料を手軽にかつ均質な出来上がりで作ることができる。
【００１４】
また、容器の下部から器体外へ連通する導出経路を設け、その途中に経路を開閉する第１の弁体を配し、この第１の弁体による導出経路の開閉によって、容器内の液体の器体外への導出を行うことにより、導出経路を単純化できるので、茶渋などの汚れに対する清掃性・手入れ性が飛躍的に向上するのである。
【００１５】
【発明の実施の形態】
本発明の請求項１記載の発明は、液体を収容する上面開口の容器と、前記容器の開口部を覆う蓋体と、前記容器内の液体を加熱する加熱手段と、前記容器の下部から器体外へ連通する導出経路と、前記導出経路の途中に経路を開閉する第１の弁体と、前記容器と前記蓋体とで形成される空間内に設けられた茶葉等の飲料用材料を収納するケースとを有し、前記ケースには前記容器内の液体が浸入し、前記飲料用材料に接触あるいは通過し、再び前記ケース外に脱出可能な経路もしくは空間を形成するとともに、前記経路もしくは空間の開口部または途中において少なくとも１ヵ所を閉塞する第２の弁体を設け、前記容器の外側に前記第２の弁体の駆動手段を配し、前記駆動手段を動作させて前記第２の弁体の開閉動作を行なう電気湯沸し器とする。
【００１６】
【実施例】
（参考例１）
以下、本発明の一参考例について、図面を参照しながら説明する。まず、本発明の第１の参考例について説明する。図１は概略構成図である。
【００１７】
１は本体、２は本体１内に配された上面開口の容器、３は容器２の開口部を覆う蓋体、４は容器２内の液体を加熱する手段であるところの電気式のヒーターで、容器２の底部に圧接状態で取り付けられている。５は容器２内の液体を冷却する手段であるところの冷却装置で、冷却装置５は、熱の授受を効果的に行なうための吸熱板６、ペルチェ効果による熱電素子モジュール７、放熱部材８等で構成されており、熱電素子モジュール７は吸熱側を吸熱板６に、放熱側を放熱部材８に圧接して取り付けられている。９は、放熱部材８等に送風を行ない放熱を促進するための送風機である。１０は容器２内の液体の温度を均等に保つとともに、加熱および冷却を効率的に行うために、容器２内の液体を攪拌するための攪拌翼で、モーター１１により駆動される。１２は容器内の液体の温度を検知する温度センサー、１３は容器２内の液体と容器２の外部との熱の授受を極力押さえるための断熱材である。蓋体３は本体１にヒンジ１４を中心に回動自在に取り付けられており、その閉位置で本体１に、ロック部材１５によって掛止されている。１６はロック部材１５による本体１への掛止を解くためのロック解除部材、１７は容器２内の蒸気を器体外に放出するための蒸気通路である。１９は容器２の下部と器体外とを連通する導出経路で、その途中に導出経路１９を開閉する第１の弁体２０が配されている。
【００１８】
通常は第１の弁体２０は、導出経路１９の途中を遮断しており、導出つまみ２１の押圧操作により、第１の弁体２０を開放状態にすることにより導出経路１９を連通させて、容器２内の液体を器体外に導出するのである。２２は茶葉などの飲料用材料を収納するケースで、後述するいくつかの部材で構成される。
【００１９】
図２及び図３はケース２２の構成の一例を示すもので、図２において、２３はケースの本体であるボデーで、飲料用材料である茶葉のパック２４などを収納する収納室２５が形成されており、その開口部は着脱自在のキャップ２６で封止されている。収納室２５の壁には、第１の穴部１８が形成されており、収納室２５と、収納室２５に隣接し、第２の弁体２７を内包する弁室２８とは、第１の穴部１８を介して連通状態になっている。弁室２８には、第２の穴部２９及び第３の穴部３０が形成され、また、第２の弁体２７は弁室２８内に摺動自在に配されている。３１および３２は、第２の弁体２７を摺動方向に付勢する第１のばね、および第２のばねであり、お互いに逆の方向、即ち第１のばね３１はＡ方向に、第２のばね３２はＢ方向に、各々第２の弁体２７を付勢している。
【００２０】
ここで、第１のばね３１は形状記憶合金によって形成されており、通常の状態即ち、第１のばね３１及びその周囲の温度が、形状記憶合金の変態温度より低い状態においては、〔第１のばねの付勢力Ｆ１〕＜〔第２のばねの付勢力Ｆ２〕となるよう設定してある。
【００２１】
この状態においては、第２の弁体２７は、第２のばね３２の付勢力によりＢ方向に付勢され、第２の弁体２７に形成された第１の弁座３３、第２の弁座３４は各々、弁室２８の第２の穴部２９及び第３の穴部３０を閉塞しており、収納室２５および弁室２８と容器２内とは隔離状態になっている。
【００２２】
３５は比重が容器２内の液体よりも十分小さい材質からなり、結果としてケース２２全体が浮力を得るためのフロートで、収納室２５は容器２内の液面Ｃの近傍で浮遊するようになっている。
【００２３】
図３は容器２内の液体の温度が高い時、つまり第１のばね３１及びその周囲の温度が、形状記憶合金の変態温度より高い状態を示すもので、この状態においては、形状記憶合金製のばねの弾性係数が、変態温度以下のときよりも大幅に増加する性質を利用して、〔第１のばねの付勢力Ｆ１〕＞〔第２のばねの付勢力Ｆ２〕となるよう設定してある。
【００２４】
この状態においては、第２の弁体２７は、第１のばね３１の付勢力によりＡ方向に付勢されて移動し、第２の弁体２７に形成された第１の弁座３３、第２の弁座３４は各々、弁室２８の第２の穴部２９及び第３の穴部３０から離れ、弁室２８は、容器２内と連通状態になる。この結果、第１の穴部１８、弁室２８、第２の穴部２９、及び第３の穴部３０を介して、収納室２５と容器２内部とは連通状態になる。
【００２５】
以上のような構成において、まず、従来一般的な電気湯沸し器と同様な「湯沸かしから９５℃前後の高温での保温」の運転の場合について述べる。ここでは、麦茶の作り方を例に挙げて説明すると、まず、ケース２２のキャップ２６を外して収納室２５の中に、麦茶のパック２４を入れ、再びキャップ２６をケース２２に装着する。ここで、第１のばね３１の材料である形状記憶合金の変態温度は９８℃前後に設定してあり、この時点ではケース２２は図２の状態にある。
【００２６】
一方、容器２内に水を入れて器体に電源を投入し、ヒーターに４に通電を行ない、容器２内の水を加熱、即ち「湯沸かし」を行なう。この時の、ケース２２の容器２内への投入時期は、容器内の水温が９８℃前後になるまで、ケース２２は、収納室２５および弁室２８と、容器２内とは隔離状態になっているので、収納室２５内に水が浸入することはなく、麦茶の抽出は行なわれないので、水温が９８℃前後になるまでに投入すれば何ら影響はないが、簡便さからいえば、湯沸かし開始とほぼ同時期に入れるのが良い。
【００２７】
ケース２２を容器２内に投入した時、フロート３５によって、ケース２２全体が浮力を得るため、収納室２５は容器２内の液面Ｃの近傍で浮遊し、図１のように、液面の変動に追随する。
【００２８】
容器２内の水温の上昇に伴い、ケース２２およびそれに内包されている第１のばね３１の温度も上昇し、その温度が９８℃前後にまで上昇すると、第１のばね３１の形状記憶合金としての変態挙動によって付勢力が急激に増加し、第２の弁体が、Ａ方向の付勢力を受けて移動し、図３に示す状態、即ち、収納室２５と容器２内部とが連通状態になる。
【００２９】
これにより、容器２内の水（以下、温度の高い水を随時「湯」と称する）は収納室２５内の麦茶のパック２４内に浸入し、麦茶の煮出し液となり、容器２内の湯との濃度差により再び容器２内に拡散して、麦茶の抽出が行われる。容器２内の水温が沸点、即ち１００℃前後に達して、いわゆる沸騰状態になっても、この抽出作用は継続される。
【００３０】
温度センサー１２による沸騰状態の検知後、一定時間沸騰を継続した後、ヒーター４への通電を停止し、その後は自然放熱により、保温温度の９５℃前後に湯温が低下するのを待った後、９５℃前後を維持すべく、ヒーター４への通電を間欠的に行なう。
【００３１】
この湯温低下の工程中において、湯温が９８℃前後まで低下した時点で、第１のばね３１の変態挙動の可逆反応により、付勢力が急激に減少して、第２の弁体が、第２のばね３２により、Ｂ方向の付勢力を受けて移動し、図２に示す状態、即ち、収納室２５および弁室２８と容器２内とは隔離状態になる。この時点で、麦茶の煮出し液の、容器２内への拡散は遮断され、容器２内へのこれ以上の抽出は為されない。
【００３２】
従って、抽出が終了しても、急いで麦茶のパック２４を容器２から取り出す必要がなく、そのまま放置しておいても既に抽出した麦茶の濃度に影響がないので、麦茶のパック２４を頃合を見計らっての取り出す煩わしさから開放される。
【００３３】
この時、麦茶の抽出時間は、湯温が湯沸かし工程中での９８℃前後以降から沸騰を経て、自然放熱による９８℃前後への低下に至るまでの時間とほぼ等しくなるので、その結果、毎回ほぼ均質な濃度の麦茶を得ることができる。また、抽出の濃度を変えたい場合は、上記の時間を変えてやれば良く、例えば沸騰状態の時間を変えてやることにより、それが実現する。この沸騰時間を外部操作により任意に調整可能にすれば、好みに応じた濃度の麦茶を得ることが容易にできる。
【００３４】
本参考例では図１に示す如く、電気湯沸し器に、収容液体の温度を室温以下に冷却する機能を付加したものであり、次に、「湯沸かしから室温以下の温度までの冷却、保冷」の運転の場合について述べる。
【００３５】
湯沸かしから沸騰までは前述の工程と同様であるが、沸騰終了以降は、あらかじめ設定した温度、例えば１０℃前後に設定した場合、容器２内の水温が１０℃前後になるまで、冷却装置５の熱電素子モジュール７、送風機９、およびモーター１１に通電する。
【００３６】
つまり、熱電素子モジュール７のいわゆるペルチェ効果を利用して、容器２内の湯の熱を、吸熱板６を介して熱電素子モジュール７の吸熱側に伝え、その熱を放熱側から放熱部材８を介して、器体内の空間に放出する。
【００３７】
そして、送風機９により、放熱部材８に送風を行なうことにより放熱を促進するとともに、モーター１１により駆動される攪拌翼１０を回転させて、容器内の水を攪拌して、効率的に冷却を行なうものである。
【００３８】
この場合の麦茶の抽出時間は、湯温が湯沸かし工程中での９８℃前後以降から沸騰を経て、冷却装置５による強制冷却で９８℃前後に低下するまでの時間とほぼ等しくなるので、その結果、毎回ほぼ均質な濃度の麦茶を得ることができる。
【００３９】
出来上がった麦茶を引用に供するには、導出つまみ２１を押圧操作し、第１の弁体２０を開放状態にして導出経路１９を連通させることにより、器体外への導出が行なわれるので、これをコップなどに受ければ良い。
【００４０】
ここで、導出経路１９は、容器２内の液体の重力によって滴下されるので、長さを短くすることができ、かつ素直な経路とすることができるので、茶渋などの汚れを除去するのが容易であり、清掃性・手入れ性に優れているので、清潔に使い続けることができる。
【００４１】
（参考例２）
次に、本発明の第２の参考例について説明する。図４は、ケース３６にアーム３７をその一端３８で回動自在にに取り付け、アーム３７の他端３９に第１の結合部材４０をアーム３７に対して回動自在に取り付けてある。ここで、ケース３６自体の構成・動作は、参考例１に準じるものであり、具体的な構成図および説明は省略する。
【００４２】
容器４１の側壁には、第１の結合部材４０に着脱自在に嵌合する、第２の結合部材４２が取り付けられており、これらの結合部材どうしの嵌合により、ケース３６は容器４１の側壁に係留され、液面に浮遊している。これにより、ケース３６は、容器４１に対する平面上の位置の規制をある程度受けつつ、液面に対してほぼ同じ姿勢を保ちながら、液面の変動に追随して上下する。
【００４３】
上記の構成により、アーム３７の長さおよび、第２の結合部材４２の容器４１への取付位置などの設定により、麦茶などの抽出に際して、常に条件の良い場所の近傍にケース３６を位置させることができる。
【００４４】
また、容器４１の中に液体がなくなった状態で湯沸かしを行なった場合、いわゆる「空焼き」状態の場合、ヒーター４からの熱で、近傍の容器４１の底面が高温になるので、ケース３６がこの部分に接触しないように位置規制をすることが可能で、ケース３６および構成部品などを樹脂材料で形成した場合に、その熱による変形や溶解を防止できるのである。
【００４５】
（参考例３）
次に、本発明の第３の参考例について説明する。図５は、ケース３６にアーム３７をその一端３８で回動自在にに取り付け、アーム３７の他端３９に第１の結合部材４３をアーム３７に対して回動自在に取り付けてある。４４は第１の結合部材４３に取り付けられた磁石である。ここで、ケース３６自体の構成・動作は、参考例１に準じるものであり、具体的な構成図および説明は省略する。
【００４６】
容器４５はフェライト系ステンレスなどの磁性材料で形成されており、第１の結合部材４３に取り付けられた磁石４４を、磁力による吸引で取り付ける所定の位置に凹部４６が形成されている。容器４５の凹部４６と、磁石４４との結合により、ケース３６は容器４５の側壁に係留され、液面に浮遊している。これにより、ケース３６は、容器４５に対する平面上の位置の規制をある程度受けつつ、液面に対してほぼ同じ姿勢を保ちながら、液面の変動に追随して上下するのは参考例２と同様であり、同様の効果を奏する。
【００４７】
さらに、本参考例は上記に加えて、磁力による吸引での結合であるため、アーム３７などを含むケース３６の容器への着脱が容易であり、例えば沸騰直前であっても何かで掴んで、所定の位置に取り付けることも容易である。
【００４８】
（参考例４）
次に、本発明の第４の参考例について説明する。図６は、ケース３６にアーム３７をその一端３８で回動自在に取り付け、アーム３７の他端３９に第１の結合部材４３をアーム３７に対して回動自在に取り付けてある。４７は第１の結合部材４３に取り付けられた、磁性材料からなる吸着部材である。ここで、ケース３６自体の構成・動作は、参考例１に準じるものであり、具体的な構成図および説明は省略する。
【００４９】
容器４８には、吸着部材４７を取り付ける所定の位置に、凹部４９が形成されており、凹部４９の裏面には磁石５０が取り付けられている。吸着部材４７と磁石５０との結合により、ケース３６は容器４８の側壁に係留され、液面に浮遊している。
【００５０】
これにより、ケース３６は、容器４８に対する平面上の位置の規制をある程度受けつつ、液面に対してほぼ同じ姿勢を保ちながら、液面の変動に追随して上下するのは参考例２と同様であり、同様の効果を奏する。
【００５１】
また、本参考例は上記に加えて、磁力による吸引での結合であるため、参考例３と同様に、アーム３７などを含むケース３６の容器への着脱が容易であり、例えば沸騰直前であっても何かで掴んで、所定の位置に取り付けることも容易である。
【００５２】
さらに、吸着部材４７と磁石５０は、いずれも吸着のためだけの専用部材であるので、材質、形状および、磁石５０においてはその着磁力も自由に設定できるので、お互いの吸着力を最も適したものにすることが容易である。
【００５３】
（参考例５）
次に、本発明の第５の参考例について説明する。図７は、蓋体３に、その閉状態において、略鉛直方向に伸長するシャフト５１を取り付け、ケース５２に、シャフト５１の径よりも、若干径の大なる穴部５３を形成して、その穴部によってシャフト５１に沿って摺動自在にケース５２を取り付けたものである。ここで、ケース５２自体は、穴部５３を有する部分の形状は異なるものの、その基本的な構成・動作は、参考例１に準じるものであり、具体的な構成図および説明は省略する。
【００５４】
ケース５２はシャフト５１にガイドされ、これにより、ケース５２は、容器２に対する平面上の位置の規制を受けつつ、液面に対してほぼ同じ姿勢を保ちながら、液面の変動に追随して上下するのは参考例２と同様であり、同様の効果を奏する。
【００５５】
それに加えて、ケース５２はシャフト５１を介して蓋体３に掛合されているので、蓋体３を開方向の回動に連動して移動し、蓋体３を完全に開いた状態においては、ケース５２は、容器２の外に出た状態になるので、容器２内の湯の温度が高いときであっても、蓋体３を開いておけば、ケース５２の温度は急速に低下するので、突発的にケース５２に触れる必要性が出てきたときに便利である。
【００５６】
また、容器２内にケース５２を取り付けるための部材や、凹凸がないので、容器２の清掃が行ないやすいのである。
【００５７】
（参考例６）
次に、本発明の第６の参考例について説明する。図８は、ケース３６にアーム３７をその一端３８で回動自在にに取り付け、アーム３７の他端３９に第１の結合部材４０をアーム３７に対して回動自在に取り付けてある。ここで、ケース３６自体の構成・動作は、参考例１に準じるものであり、具体的な構成図および説明は省略する。
【００５８】
蓋体５３の下面には、第１の結合部材４０に着脱自在に嵌合する、第２の結合部材４２が取り付けられており、これらの結合部材どうしの嵌合により、ケース３６は蓋体５３の下面にに係留され、液面に浮遊している。これにより、ケース３６は、容器２に対する平面上の位置の規制をある程度受けつつ、液面に対してほぼ同じ姿勢を保ちながら、液面の変動に追随して上下する。
【００５９】
上記の構成により、アーム３７の長さおよび、第２の結合部材４２の蓋体５３への取付位置などの設定により、麦茶などの抽出に際して、常に条件の良い場所の近傍にケース３６を位置させることができる。
【００６０】
また、容器２の中に液体がなくなった状態で湯沸かしを行なった場合、いわゆる「空焼き」状態の場合、ヒーター４からの熱で、近傍の容器２の底面が高温になるので、ケース３６がこの部分に接触しないように位置規制をすることが可能で、ケース３６および構成部品などを樹脂材料で形成した場合に、その熱による変形や溶解を防止できるのである。
【００６１】
また、容器２内にケース３６を取り付けるための部材や、凹凸がないので、容器２の清掃が行ないやすいのである。
【００６２】
（参考例７）
次に、本発明の第７の参考例について説明する。図９は、ケース３６にアーム３７をその一端３８で回動自在にに取り付け、アーム３７の他端３９に第１の結合部材４３をアーム３７に対して回動自在に取り付けてある。４４は第１の結合部材４３に取り付けられた磁石である。ここで、ケース３６自体の構成・動作は、参考例１に準じるものであり、具体的な構成図および説明は省略する。
【００６３】
蓋体５４の下部を構成する蓋カバー５５はフェライト系ステンレスなどの磁性材料で形成されており、第１の結合部材４３に取り付けられた磁石４４を、磁力による吸引で取り付ける所定の位置に凹部５６が形成されている。蓋カバー５５の凹部５６と、磁石４４との結合により、ケース３６は蓋カバー５５に係留され、液面に浮遊している。
【００６４】
これにより、ケース３６は、容器２に対する平面上の位置の規制をある程度受けつつ、液面に対してほぼ同じ姿勢を保ちながら、液面の変動に追随して上下するのは参考例２と同様であり、同様の効果を奏する。
【００６５】
さらに、本参考例は上記に加えて、磁力による吸引での結合であるため、アーム３７などを含むケース３６の容器への着脱が容易であり、例えば沸騰直前であっても何かで掴んで、所定の位置に取り付けることも容易である。
【００６６】
また、容器２内にケース３６を取り付けるための部材や、凹凸がないので、容器２の清掃が行ないやすいのである。
【００６７】
（参考例８）
次に、本発明の第８の参考例について説明する。図１０は、ケース３６にアーム３７をその一端３８で回動自在に取り付け、アーム３７の他端３９に第１の結合部材４３をアーム３７に対して回動自在に取り付けてある。４７は第１の結合部材４３に取り付けられた、磁性材料からなる吸着部材である。ここで、ケース３６自体の構成・動作は、参考例１に準じるものであり、具体的な構成図および説明は省略する。
【００６８】
蓋体５７には、吸着部材４７を取り付ける所定の位置に、凹部５８が形成されており、凹部５８の裏面には磁石５０が取り付けられている。吸着部材４７と磁石５０との結合により、ケース３６は蓋体５７の下部に係留され、液面に浮遊している。
【００６９】
これにより、ケース３６は、容器２に対する平面上の位置の規制をある程度受けつつ、液面に対してほぼ同じ姿勢を保ちながら、液面の変動に追随して上下するのは参考例２と同様であり、同様の効果を奏する。
【００７０】
また、本参考例は上記に加えて、磁力による吸引での結合であるため、参考例３と同様に、アーム３７などを含むケース３６の容器への着脱が容易であり、例えば沸騰直前であっても何かで掴んで、所定の位置に取り付けることも容易である。
【００７１】
さらに、吸着部材４７と磁石５０は、いずれも吸着のためだけの専用部材であるので、材質、形状および、磁石５０においてはその着磁力も自由に設定できるので、お互いの吸着力を最も適したものにすることが容易である。
【００７２】
また、容器２内にケース３６を取り付けるための部材や、凹凸がないので、容器２の清掃が行ないやすいのである。
【００７３】
（参考例９）
次に、本発明の第９の参考例について説明する。図１１は、５９は茶葉のパック２４を収納する収納室６０を有するケースで、収納室６０の開口部は着脱自在のキャップ６１で封止されている。収納室６０には、液体が通過できる複数個の貫通穴６２が形成されている。６３は、ケース５９に形成された腕部で、その一端を、容器６４への取り付けのための第１の結合部材６５に回動自在に取り付けられている。
【００７４】
第１の結合部材６５には、容器６４の側壁に取り付けられた第２の結合部材６６の凸部に対応する凹部が形成されており、両者の嵌合によって第１の結合部材６５およびそれに取り付けられたケース５９は、第２の結合部材６６に着脱自在となっている。６７、６８はケース５９の腕部６３を回動方向に付勢する圧縮コイルばねであるところの第１のばね、および捩りコイルばねであるところの第２のばねであり、お互いに逆の方向、即ち第１のばね６７は、容器６４内の液体に近づく方向（Ａ方向）に、第２のばね６８は、容器６４内の液体から遠ざかる方向（Ｂ方向）にケース５９の腕部６３を付勢している。
【００７５】
ここで、第１のばね６７は形状記憶合金によって形成されており、通常の状態即ち、第１のばね６７及びその周囲の温度が、形状記憶合金の変態温度より低い状態においては、〔第１のばねの付勢力Ｆ１〕＜〔第２のばねの付勢力Ｆ２〕となるよう設定してある。また、変態温度より高い条件下においては、〔第１のばねの付勢力Ｆ１〕＜〔第２のばねの付勢力Ｆ２〕となるような設定が成されている。
【００７６】
また、ケース５９の収納室６０の位置は、容器６４に取り付けた状態で、第１のばね６７の材料である形状記憶合金の変態温度より低い条件下においては、第２のばね６８に付勢されて、容器６４に所定の量の液体を入れたときの液面よりも高い位置に配されている。
【００７７】
機器の運転については、参考例１と同様であるので、ここでは「湯沸かしから９５℃前後の高温での保温」の運転の場合のみ説明する。まず、ケース５９のキャップ６１を外して収納室６０の中に、麦茶のパック２４を入れ、再びキャップ６１をケース５９に装着する。ここで、第１のばね６７の材料である形状記憶合金の変態温度は９８℃前後に設定してあり、この時点ではケース５９は第２のばね６８でＢ方向に付勢されて、容器６４に所定の量の液体を入れたときの液面よりも高い位置に配されている。
【００７８】
一方、容器６４内に水を入れて器体に電源を投入し、ヒーター４に通電し、「湯沸かし」を行なう。この時の、ケース５９の容器６４内への投入時期は、容器内の水温が９８℃前後になるまでケース５９は何ら挙動を示さないので、参考例１と同様で良い。
【００７９】
容器６４内の水温が上昇して沸騰に至り、その蒸気により第１のばね６７が熱せられて、その温度が９８℃前後にまで上昇すると、形状記憶合金としての変態挙動によって付勢力が急激に増加し、第２のばね６８の付勢力に打ち勝ってケース５９の腕部６３をＡ方向に付勢、即ち下方に押しやり、その結果ケース５９は容器６４内の湯の中に没し、湯が貫通穴６２を通過して収納室６０内に浸入し、麦茶の抽出が行われる。
【００８０】
温度センサー１２による沸騰状態の検知後、一定時間沸騰を継続した後、９５℃前後の保温温度への移行の途中で、湯温が９８℃前後まで低下した時点で、第１のばね６７の変態挙動の可逆反応により、付勢力が急激に減少して、ケース５９の腕部６３が第２のばね６８により、Ｂ方向の付勢力を受けて上方に移動し、ケース５９は液面より上に位置するので、収納室６０は容器６４内の湯から隔離され、抽出は終了する。
【００８１】
従って、抽出が終了しても、急いで麦茶のパック２４を容器６４から取り出す必要がなく、そのまま放置しておいても既に抽出した麦茶の濃度に影響がないので、麦茶のパック２４を頃合を見計らっての取り出す煩わしさから開放される。
【００８２】
この時、麦茶の抽出時間は、湯温が、沸騰してから、保温に移行する９８℃前後への低下に至るまでの時間とほぼ等しくなるので、その結果、毎回ほぼ均質な濃度の麦茶を得ることができる。
【００８３】
また、抽出の濃度を変えたい場合は、上記の時間を変えてやれば良く、例えば沸騰状態の時間を変えてやることにより、それが実現する。この沸騰時間を外部操作により任意に調整可能にすれば、好みに応じた濃度の麦茶を得ることが容易にできる。
【００８４】
この構成によれば、ケースの収納室６０に貫通穴６２を形成して、抽出の制御を行なっていることからも明らかであるように、収納室６０を密閉構造にする必要がなく、構成を簡素化することができる。
【００８５】
また、抽出後しばらくすると、ケース５９の内部の水は滴下してしまうので、取り外す際にも器体外に水滴が落ちることが殆どなく、床などを汚す心配がない。
【００８６】
また、出来上がった麦茶を引用に供する方法・構成・効果は参考例１と同様である。
【００８７】
（参考例１０）
次に、本発明の第１０の参考例について説明する。
【００８８】
図１２において、６９は、蓋体７０に固定されたカバー７１内に略鉛直方向に摺動自在に配されたケースで、茶葉のパック２４を収納する収納室７２が形成されており、その開口部は着脱自在のキャップ７３で封止されている。収納室７２には、液体が通過できる網目状の格子部７４が形成されている。７５、７６はケース６９を上下方向に付勢する圧縮コイルばねであるところの第１のばね、および第２のばねであり、お互いに逆の方向、即ち第１のばね７５は、容器２内の液体に近づく方向である下方向（Ａ方向）に、第２のばね７６は、容器２内の液体から遠ざかる方向である上方向（Ｂ方向）に、各々ケース６９を付勢している。
【００８９】
ここで、第１のばね７５は形状記憶合金によって形成されており、通常の状態即ち、第１のばね７５及びその周囲の温度が、形状記憶合金の変態温度より低い状態においては、〔第１のばねの付勢力Ｆ１〕＜〔第２のばねの付勢力Ｆ２〕となるよう設定してある。また、変態温度より高い条件下においては、〔第１のばねの付勢力Ｆ１〕＜〔第２のばねの付勢力Ｆ２〕となるような設定が成されている。
【００９０】
また、ケース６９の収納室７２の位置は、容器２に取り付けた状態で、第１のばね７５の材料である形状記憶合金の変態温度より低い条件下においては、第２のばね７６に付勢されて、カバー７１内に収納されて、容器２に所定の量の液体を入れたときの液面よりも高い位置に配されている。また、カバー７１の穴部の縁７７は、ケース６９の鍔部７８と密着状態になっている。ここで、第１のばね７５の材料である形状記憶合金の変態温度は９８℃前後に設定してある。
【００９１】
ケース６９の収納室７２に麦茶のパック２４を入れ、「湯沸かしから９５℃前後の高温での保温」の運転を行なっていくと、容器２内の水温が上昇して沸騰に至り、その蒸気により第１のばね７５が熱せられて、その温度が９８℃前後にまで上昇すると、形状記憶合金としての変態挙動によって付勢力が急激に増加し、図１３に示すように、第２のばね７６の付勢力に打ち勝ってケース６９をＡ方向に付勢、即ち下方に押しやり、その結果ケース６９は容器２内の湯の中に没し、湯が網目状の格子部７４を通過して収納室７２内に浸入し、麦茶の抽出が行われる。
【００９２】
温度センサー１２による沸騰状態の検知後、一定時間沸騰を継続した後、９５℃前後の保温温度への移行の途中で、湯温が９８℃前後まで低下した時点で、第１のばね７５の変態挙動の可逆反応により、付勢力が急激に減少して、ケース６９が第２のばね７６により、Ｂ方向の付勢力を受けて上方に移動し、ケース６９は液面より上に位置するので、収納室７２は容器２内の湯から隔離され、抽出は終了する。
【００９３】
従って、抽出が終了しても、急いで麦茶のパック２４を容器２から取り出す必要がなく、そのまま放置しておいても既に抽出した麦茶の濃度に影響がないので、麦茶のパック２４を頃合を見計らっての取り出す煩わしさから開放される。
【００９４】
この時、麦茶の抽出時間は、湯温が、沸騰してから、保温に移行する９８℃前後への低下に至るまでの時間とほぼ等しくなるので、その結果、毎回ほぼ均質な濃度の麦茶を得ることができる。
【００９５】
また、抽出の濃度を変えたい場合は、上記の時間を変えてやれば良く、例えば沸騰状態の時間を変えてやることにより、それが実現する。この沸騰時間を外部操作により任意に調整可能にすれば、好みに応じた濃度の麦茶を得ることが容易にできる。
【００９６】
この構成によれば、参考例９と同様に、収納室７２を密閉構造にする必要がなく、構成を簡素化することができる。
【００９７】
また、カバー７１の穴部の縁７７を、ケース６９の鍔部７８と密着状態としてやれば、沸騰中の蒸気の結露による、疑似的な抽出を防止できるので、更に均質な濃度の出来上がりが実現できる。
【００９８】
また、抽出機能部を蓋体７０に全て集約してあるので、容器２内に凹凸がなく、手入れがしやすい。また、出来上がった麦茶を引用に供する方法・構成・効果は参考例１と同様である。
【００９９】
（参考例１１）
次に、本発明の第１１の参考例について説明する。
【０１００】
図１４において、７９は、蓋体８０に固定されたカバー８１内に略鉛直方向に摺動自在に配されたケースで、茶葉のパック２４を収納する収納室８２が形成されており、その開口部は着脱自在のキャップ８３で封止されている。収納室８２には、液体が通過できる網目状の格子部８４が形成されている。８５は、回転軸８６に回動自在に取り付けられたレバーで、第１の端部８７を第１のばね８８によって支持され、第２の端部８９をケース７９の上部に接触可能な位置に配されている。
【０１０１】
第１のばね８８は、レバー８５の第１の端部８７を略上方に付勢しており、これによってレバー８５の第２の端部８９は略下方に付勢され、ケース７９の上部に圧接して、ケースをＡ方向、即ち下方に付勢している。つまり、第１のばね８８は、レバー８５を介してケース７９を下方に付勢している。
【０１０２】
９０はケース７９をＢ方向、即ち上方に付勢する第２のばねである。つまり、第１のばね８８と第２のばね９０は、お互いに逆の方向にケース７９を付勢している。
【０１０３】
ここで、第１のばね８８は形状記憶合金によって形成されており、通常の状態即ち、第１のばね８８及びその周囲の温度が、形状記憶合金の変態温度より低い状態においては、〔レバーを介しての第１のばねによる付勢力Ｆ１〕＜〔第２のばねの付勢力Ｆ２〕となるよう設定してある。また、変態温度より高い条件下においては、〔レバーを介しての第１のばねによる付勢力Ｆ１〕＞〔第２のばねの付勢力Ｆ２〕となるような設定が成されている。
【０１０４】
また、ケース７９の収納室８２の位置は、容器２に取り付けた状態で、第１のばね８８の材料である形状記憶合金の変態温度より低い条件下においては、第２のばね９０に付勢されて、カバー８１内に収納されて、容器２に所定の量の液体を入れたときの液面よりも高い位置に配されている。
【０１０５】
９１は、容器２内の上記を器体外に放出するための蒸気通路である。９２は第１のばね８８の下部を支えるとともに、蒸気通路９１からの熱を伝えにくくするための断熱部材である。蒸気通路９１は、第１のばね８８、レバー８５、断熱部材９２などを内包している。即ち、第１のばね８８をはじめとする、これらの部材は蒸気の通過する経路内に配されている。ここで、第１のばね８８の材料である形状記憶合金の変態温度は９８℃前後に設定してある。
【０１０６】
ケース７９の収納室８２に麦茶のパック２４を入れ、「湯沸かしから９５℃前後の高温での保温」の運転を行なっていくと、容器２内の水温が上昇して沸騰に至り、その蒸気が蒸気通路９１内を通過すると、その蒸気により第１のばね８８が熱せられて、その温度が９８℃前後にまで上昇すると、形状記憶合金としての変態挙動によって付勢力が急激に増加し、図１５に示すように、第２のばね９０の付勢力に打ち勝ってケース７９をＡ方向に付勢、即ち下方に押しやり、その結果ケース７９は容器２内の湯の中に没し、湯が網目状の格子部８４を通過して収納室８２内に浸入し、麦茶の抽出が行われる。
【０１０７】
温度センサー１２による沸騰状態の検知後、一定時間沸騰を継続した後、９５℃前後の保温温度へ移行するために、ヒーター４への通電を停止すると、すぐに蒸気の発生が収まるため、蒸気通路９１内の温度は急速に低下し、その中に内包されている第１のばね８８の温度も追随して低下し始める。
【０１０８】
第１のばね８８の温度が９８℃前後まで低下した時点で、その変態挙動の可逆反応により、付勢力が急激に減少して、ケース７９が第２のばね９０により、Ｂ方向の付勢力を受けて上方に移動し、ケース７９は液面より上に位置するので、収納室８２は容器２内の湯から隔離され、抽出は終了する。
【０１０９】
従って、抽出が終了しても、急いで麦茶のパック２４を容器２から取り出す必要がなく、そのまま放置しておいても既に抽出した麦茶の濃度に影響がないので、麦茶のパック２４を頃合を見計らっての取り出す煩わしさから開放される。
【０１１０】
この時、麦茶の抽出時間は、第１のばね８８の温度の上昇および下降が蒸気によって制御されるので応答性が良いため、沸騰開始から沸騰終了までの時間とほぼ等しくなるので、その結果、毎回ほぼ均質な濃度の麦茶を得ることができる。
【０１１１】
また、抽出の濃度を変えたい場合は、沸騰時間を変えてやることにより、それが実現する。この沸騰時間を外部操作により任意に調整可能にすれば、好みに応じた濃度の麦茶を得ることが容易にできる。
【０１１２】
また、この構成によれば、参考例９と同様に、収納室８２を密閉構造にする必要がなく、構成を簡素化することができる。
【０１１３】
また、抽出機能部を蓋体８０に全て集約してあるので、容器２内に凹凸がなく、手入れがしやすい。また、出来上がった麦茶を引用に供する方法・構成・効果は参考例１と同様である。
【０１１４】
（参考例１２）
次に、本発明の第１２の参考例について説明する。
【０１１５】
９３は、茶葉のパック２４を収納する収納室９４を有するケースで、収納室９４の開口部は着脱自在のキャップ９５で封止されている。収納室９４には、液体が通過できる複数個の貫通穴９６が形成されている。９７は、容器９８に取りつけられた第２のモーターで、そのシャフト９９には、結合部材１００が取りつけられている。
【０１１６】
ケース９３には、結合部材１００に対応する形状を有する結合部１０１が形成されており、これによりケース９３は、結合部材１００に着脱自在に取り付けられている。従って、ケース９３は第２のモーター９７の回転に連動して回転運動を行う。また、ケース９３の収納室９４の位置は、運転前においては、容器９８に所定の量の液体を入れたときの液面よりも高い位置に配さるように、結合部材１００の回転位置が設定されている。
【０１１７】
機器の運転については、参考例１と同様であるので、ここでは「湯沸かしから９５℃前後の高温での保温」の運転の場合のみ説明する。まず、ケース９３のキャップ９５を外して収納室９４の中に、麦茶のパック２４を入れ、再びキャップ９５をケース９３に装着する。一方、容器９８内に水を入れて器体に電源を投入し、ヒーター４に通電し、「湯沸かし」を行なう。容器９８内の水温が上昇して沸騰に至ると、温度センサー１２が検知して沸騰を一定時間継続する工程に移行するとともに、第２のモーター９７に通電を行い、回転させる。
【０１１８】
第２のモーター９７に連動してケース９３が回転し、その回転位置の最下点で第２のモーター９７を停止すると、図１７に示すように、ケース９３は容器９８内の湯の中に没し、湯が貫通穴９６を通過して収納室９４内に浸入し、麦茶の抽出が行われる。
【０１１９】
一定時間の沸騰の継続の後、保温工程に入り、所定の時間が経過した時点で、第２のモーター９７に通電を行い、ケース９３を回転させ、運転前の位置に戻す。
【０１２０】
これにより、ケース９３は液面より上に位置するので、収納室９４は容器９８内の湯から隔離され、抽出は終了する。
【０１２１】
従って、抽出が終了しても、急いで麦茶のパック２４を容器９８から取り出す必要がなく、そのまま放置しておいても既に抽出した麦茶の濃度に影響がないので、麦茶のパック２４を頃合を見計らっての取り出す煩わしさから開放される。
【０１２２】
この時、麦茶の抽出開始点および抽出時間は、器体の制御プログラムの設定によるもので、抽出開始点および抽出時間を外部操作により、任意に設定可能にしておけば、種々の茶葉やに最適な抽出や、好みに応じた抽出といったきめ細かな抽出が可能である。
【０１２３】
この構成によれば、ケース９３の収納室９４に貫通穴９６を形成して、抽出の制御を行なっていることからも明らかであるように、収納室９４を密閉構造にする必要がなく、構成を簡素化することができる。
【０１２４】
また、抽出後しばらくすると、ケース９３の内部の水は滴下してしまうので、取り外す際にも器体外に水滴が落ちることが殆どなく、床などを汚す心配がない。
【０１２５】
また、出来上がった麦茶を引用に供する方法・構成・効果は参考例１と同様である。
【０１２６】
（実施例１）
次に、本発明の第１の実施例について説明する。図１８および図１９は請求項１記載の発明の一実施例を説明するものである。
【０１２７】
１０２は、茶葉のパック２４を収納する収納室１０３を有するケースで、収納室１０３の開口部は着脱自在のキャップ９５で封止されている。収納室１０３には、液体が通過できる複数個の貫通穴１０４が形成されている。ケース１０２には、蓋体１０５に取り付けられた結合部材１０６に嵌合する凸部１０７が形成されており、これによりケース１０２は蓋体１０５に着脱自在に取り付けられている。１０８は、収納室１０３の貫通穴１０４を閉塞する第２の弁体で、ケース１０２に、略鉛直方向に摺動自在に取り付けられている。１０９は、第２の弁体１０８を上方に付勢するばねで、これにより、第２の弁体１０８は貫通穴１０４に圧接している。１１０は、ソレノイドで、通電時にはヨーク１１１を押し出す形式のものである。ヨーク１１１の端部には、ロッド１１２が接続されており、蓋体１０５内に回動自在に配されたレバー１１３を介して、第２の弁体１０８のシャフト部１１４にその動作を伝達する。この状態において、ケース１０２の収納室１０３の位置は、容器１１５に所定の量の液体を入れたときの液面よりも高い位置に設定されている。
【０１２８】
機器の運転については、参考例１と同様であるので、ここでは「湯沸かしから９５℃前後の高温での保温」の運転の場合のみ説明する。
【０１２９】
まず、ケース１０２のキャップ９５を外して収納室１０３の中に、麦茶のパック２４を入れ、再びキャップ９５をケース１０２に装着する。一方、容器１１５内に水を入れて器体に電源を投入し、ヒーター４に通電し、「湯沸かし」を行なう。容器１１５内の水温が上昇して沸騰に至ると、温度センサー１２が検知して沸騰を一定時間継続する工程に移行するとともに、ソレノイド１１０に通電を行い、ヨーク１１１を押し出す。
【０１３０】
これにより、図１９に示すように、ヨーク１１１に接続されたロッド１１２が上方に移動し、レバー１１３の端部を押圧し、ばね１０９の付勢力に抗してレバー１１３を回転させて第２の弁体１０８のシャフト部１１４を下方に押圧する。
【０１３１】
その結果、第２の弁体１０８は下方に移動し、貫通穴１０４から離れ、湯が貫通穴１０４を通過して収納室１０３内に浸入し、麦茶の抽出が行われる。一定時間の沸騰の継続の後、保温工程に入り、所定の時間が経過した時点で、ソレノイド１１０への通電を停止する。
【０１３２】
これにより、ばね１０９の付勢力によって第２の弁体１０８は元の状態に戻って収納室１０３の貫通穴１０４を閉塞し、収納室１０３は容器１１５内の湯から隔離され、抽出は終了する。
【０１３３】
従って、抽出が終了しても、急いで麦茶のパック２４を容器１１５から取り出す必要がなく、そのまま放置しておいても既に抽出した麦茶の濃度に影響がないので、麦茶のパック２４を頃合を見計らっての取り出す煩わしさから開放される。
【０１３４】
この時、麦茶の抽出開始点および抽出時間は、器体の制御プログラムの設定によるもので、抽出開始点および抽出時間を外部操作により、任意に設定可能にしておけば、種々の茶葉やに最適な抽出や、好みに応じた抽出といったきめ細かな抽出が可能である。
【０１３５】
また、抽出機能部を蓋体１０５に集約してあるので、容器１１５内に凹凸がなく、手入れがしやすい。また、出来上がった麦茶を引用に供する方法・構成・効果は参考例１と同様である。
【０１３６】
【発明の効果】
請求項１記載の発明によれば、抽出が終了しても、急いで麦茶のパックを容器から取り出す必要がなく、そのまま放置しておいても既に抽出した麦茶の濃度に影響がないので、麦茶のパックを頃合を見計らっての取り出す煩わしさから開放される。この時、麦茶の抽出開始点および抽出時間は、器体の制御プログラムの設定によるもので、抽出開始点および抽出時間を外部操作により、任意に設定可能にしておけば、種々の茶葉やに最適な抽出や、好みに応じた抽出といったきめ細かな抽出が可能である。また、抽出機能部を蓋体に集約してあるので、容器内に凹凸がなく、手入れがしやすい。
【図面の簡単な説明】
【図１】  本発明の第１の参考例を示す電気湯沸し器の概略構成を示す縦断面図
【図２】  同、電気湯沸し器の要部拡大縦断面図
【図３】  同、電気湯沸し器の要部拡大縦断面図
【図４】  本発明の第２の参考例を示す電気湯沸し器の概略構成を示す縦断面図
【図５】  本発明の第３の参考例を示す電気湯沸し器の概略構成を示す縦断面図
【図６】  本発明の第４の参考例を示す電気湯沸し器の概略構成を示す縦断面図
【図７】  本発明の第５の参考例を示す電気湯沸し器の概略構成を示す縦断面図
【図８】  本発明の第６の参考例を示す電気湯沸し器の概略構成を示す縦断面図
【図９】  本発明の第７の参考例を示す電気湯沸し器の概略構成を示す縦断面図
【図１０】  本発明の第８の参考例を示す電気湯沸し器の概略構成を示す縦断面図
【図１１】  本発明の第９の参考例を示す電気湯沸し器の概略構成を示す縦断面図
【図１２】  本発明の第１０の参考例を示す電気湯沸し器の概略構成を示す縦断面図
【図１３】  同、電気湯沸し器の要部構成断面図
【図１４】  本発明の第１１の参考例を示す電気湯沸し器の概略構成を示す縦断面図
【図１５】  同、電気湯沸し器の要部構成断面図
【図１６】  本発明の第１２の参考例を示す電気湯沸し器の概略構成を示す縦断面図
【図１７】  同、電気湯沸し器の要部構成断面図
【図１８】  本発明の第１の実施例を示す電気湯沸し器の概略構成を示す縦断面図
【図１９】  同、電気湯沸し器の要部構成断面図
【図２０】  従来の電気湯沸し器の概略構成を示す縦断面図
【符号の説明】
１    本体
２    容器
３    蓋体
４    ヒーター
１０  攪拌翼
１１  モーター
１２  温度センサー
１３  断熱材
１４  ヒンジ
１５  ロック部材
１６  ロック解除部材
１７  蒸気通路
１９  導出経路
２０  第１の弁体
２１  導出つまみ
２２  ケース
２３  （ケースの）ボデー
２４  （茶葉の）パック
２５  収納室
２７  第２の弁体
２８  弁室
３５  フロート
【図１】
0003867407.tif 000002
【図２】
0003867407.tif 000003
【図３】
0003867407.tif 000004
【図４】
0003867407.tif 000005
【図５】
0003867407.tif 000006
【図６】
0003867407.tif 000007
【図７】
0003867407.tif 000008
【図８】
0003867407.tif 000009
【図９】
0003867407.tif 000010
【図１０】
0003867407.tif 000011
【図１１】
0003867407.tif 000012
【図１２】
0003867407.tif 000013
【図１３】
0003867407.tif 000014
【図１４】
0003867407.tif 000015
【図１５】
0003867407.tif 000016
【図１６】
0003867407.tif 000017
【図１７】
0003867407.tif 000018
【図１８】
0003867407.tif 000019
【図１９】
0003867407.tif 000020
【図２０】
0003867407.tif 000021